(57)【要約】【課題】  離れた場所で、インジケータが見にくい場所であっても、その印刷装置の状態を確認することができ、初めて行った場所で印刷を実行しても、その印刷を実行している装置がどこに配置されているのかを容易に発見することができる印刷装置を提供する。【解決手段】  この印刷装置は、印刷装置の状態を判別する制御部１２と、判別された状態に応じた情報を、印刷装置から離間し離れた場所から視認可能な被投射面１３へ投射光として投射する投射部１０とを備える。被投射面１３は、壁や天井であり、点滅パターンや色の組み合わせ等により、印刷装置の複数の状態を表現する。【選択図】  図１
2010069660.tif 000002
【特許請求の範囲】
【請求項１】
印刷データの入力を受けて印刷処理を実行する印刷装置であって、
前記印刷装置の状態を判別する制御部と、
判別された状態に応じた情報を、前記印刷装置から離間し離れた場所から視認可能な被投射面へ投射光として投射する投射部とを備える、印刷装置。
【請求項２】
前記投射部は、発光ダイオードを備え、前記情報に応じ光の点滅パターンを変更して投射する、請求項１に記載の印刷装置。
【請求項３】
前記投射部は、複数色を発光する複数の発光ダイオードを備え、前記情報に応じ色を組み合わせて投射する、請求項１に記載の印刷装置。
【請求項４】
前記投射部は、レーザ光照射手段と、レーザ光の照射位置を変更するための位置変更手段とを備え、前記情報に応じ前記レーザ光の照射位置を時間的に変化させて投影する、請求項１に記載の印刷装置。
【請求項５】
前記投射部は、前記情報に応じ、文字、図またはこれらを組み合わせて投影する情報投影手段を備える、請求項１に記載の印刷装置。
【請求項６】
さらに、前記印刷装置の状態を変化させる情報の入力を受け付ける情報入力部を備え、前記情報入力部が受け付けた入力情報に基づき、前記制御部が変化後の状態を判別する、請求項１〜５のいずれか１項に記載の印刷装置。
【請求項７】
前記被投射面は、壁面または天井である、請求項１〜６のいずれか１項に記載の印刷装置。
【請求項８】
前記投射部は、前記被投射面までの距離を焦点距離となるように調整する、請求項１〜７のいずれか１項に記載の印刷装置。
【請求項９】
印刷データの入力を受けて印刷処理を実行する印刷装置において、当該印刷装置の状態を視覚的に判別させるための方法であって、
制御部により、前記印刷装置の状態を判別するステップと、
投射部により、判別された状態に応じた情報を、前記印刷装置から離間し離れた場所から視認可能な被投射面へ投射光として投射するステップとを含む、判別方法。
【請求項１０】
前記投射するステップでは、前記情報に応じ光の点滅パターンを変更して投射する、請求項９に記載の判別方法。
【請求項１１】
前記投射するステップでは、前記情報に応じ色を組み合わせて投射する、請求項９に記載の判別方法。
【請求項１２】
前記投射するステップでは、前記情報に応じレーザ光の照射位置を時間的に変化させて投射する、請求項９に記載の判別方法。
【請求項１３】
前記投射するステップでは、前記情報に応じ、文字、図またはこれらを組み合わせて投影する、請求項９に記載の判別方法。
【請求項１４】
さらに、前記印刷装置の状態を変化させる情報の入力を受け付けるステップを含み、前記判別するステップでは、受け付けた入力情報に基づき変化後の状態を判別する、請求項９〜１３のいずれか１項に記載の判別方法。
【発明の詳細な説明】
【技術分野】
【０００１】
本発明は、印刷要求を送信したユーザに対し、印刷を実行している装置の状態を容易に把握させることを可能にした印刷装置およびその状態を判別させるための方法に関する。
【背景技術】
【０００２】
プリンタ、ファクシミリ、MFP（MultiFunction Peripheral）等の印刷に関わる機器には、その機器の状態を示すインジケータと呼ばれる表示装置が設けられている。例えば、インクジェットプリンタであれば、印刷中やインク切れ等の機器の状態を示すランプを備えるものが多い。
【０００３】
MFP等の大型機器では、液晶ディスプレイを備えるものがあり、機器の状態を文字等により詳細に表示することができるようになっている。
【０００４】
これらは機器側で機器の状態を表示するものであるが、印刷要求を送信した側、すなわちクライアント側で機器の状態を確認することもできる。具体的には、機器とクライアントがネットワークで通信可能に接続されており、機器がアプリケーションサーバを有し、クライアントがWebブラウザを有し、機器のアプリケーションサーバがHTTP（Hyper Text Transfer Protocol）を通じて機器の状態をクライアントへ送信し、Webブラウザでそれを受け取り、表示することにより確認することができる。
【０００５】
ネットワーク上に印刷に関わる機器が複数存在する場合、クライアントは、印刷要求を処理可能な機器を検索し、その機器に印刷要求を送信することができる。ネットワーク上にある機器を検索する技術としては、UPnP（Universal Plug and Play）、Bonjour、Jini等が知られている。
【０００６】
例えばUPnPでは、UPnP対応の機器がネットワークに接続されると、その機器は、DHCP(Dynamic Host Configuration Protocol)サーバにより自動的にIPアドレスを取得し、ネットワークに接続されている機器に対し、新たな機器が接続されたこと、その機能の内容等をマルチキャストで通知し、他の機器はそれらの情報を記憶し、他の機器がその追加された機器に対し制御を行う場合、その記憶した情報を基に行われる。
【０００７】
機器の状態を表示するものではないが、プリンタと、プロジェクタとが一体形成され、印刷処理に加え、スクリーンに画像を投影することができる複合機が提案されている（特許文献１参照）。
【０００８】
機器の状態として印刷の進み具合がわかるように、情報を印刷する印刷ユニットと、光学像を投影する投射ユニットと、印刷ユニットによる印刷進行状態を示す光学像を投影ユニットに投影させる制御手段とを備えるプリンタが提案されている（特許文献２参照）。このプリンタでは、投射像をブラックアウトし、印刷が進むにつれて、カバーにセットされた印刷紙上に投影ユニットが光学像を投影するように構成されている。また、このプリンタでは、印刷に関する警告情報を投影像に含めることができるように構成されている。
【特許文献１】特開２００３−２０９６４６号公報
【特許文献２】特開２００８−８０５２０号公報
【発明の開示】
【発明が解決しようとする課題】
【０００９】
従来から印刷装置の現在の機器の状態をランプや液晶ディスプレイに表示する技術は広く採用されている。しかしながら、従来の技術では、実際に印刷装置の近くまで行き、ランプや液晶ディスプレイに表示された画面を見なければ機器の状態を確認することはできない。特許文献２に記載されたプリンタであっても、カバーにセットされた印刷紙上に投影することから、そのプリンタの近くまで行かなければ、印刷の進み具合や警告情報を確認することはできない。
【００１０】
近年の職場環境では、プリンタやMFP等の印刷装置は、社員数人から数十人に１台の割合で配置され、各人から離れた位置に配置されていることが多い。また、近くに配置されているにしても、パーティション（仕切り壁）により遮られ、ランプや液晶ディスプレイに表示された画面、印刷紙に投影された光学像を確認することができない場合がある。そのため、印刷が終了し終わったタイミングを見計らって印刷装置の側へ行き、確認するという非効率な作業が必要であった。
【００１１】
また、近年、ノートPC、PDA（personal digital Assistant）、携帯電話等のモバイル機器から印刷装置を使用する機会が増加しているが、このようなモバイル機器を使用するモバイル環境では、初めて行った場所でそこに置かれている印刷装置を利用することがある。その際、上記UPnPやBonjour等の技術を用いて利用可能な印刷装置を検索し、検索した印刷装置へ印刷要求を送信して印刷を実行させることができるが、その印刷装置がどこに配置されているのかまでは知ることができない。
【００１２】
そこで、離れた場所で、インジケータが見にくい場所であっても、その印刷装置の状態を確認することができ、また、初めて行った場所で印刷を実行してもその印刷を実行している装置がどこに配置されているのかを容易に発見することができる印刷装置の提供が望まれていた。
【課題を解決するための手段】
【００１３】
本発明は、上記課題を解決するために、機器の状態に応じた情報を投射光として投射することができる投射部を備え、機器から離れた場所から見える、機器から離間した被投射面へ投射することにより、インジケータが見にくい場所であっても、その印刷装置の状態を把握することができるようにし、ユーザが初めて行った場所で印刷を実行しても、印刷を実行している装置がどこに配置されているのかを容易に発見できるようにする。
【００１４】
具体的には、投射部が、機器の状態を示す情報を、天井、壁、パーティション等に投射する。その情報は、例えば、実行中であれば緑色、終了であれば黄色、中断であれば赤色というように色により識別することができ、投射部は、その色の光を投射することができる。
【００１５】
すなわち、上記課題は、本発明の印刷装置および判別方法を提供することにより解決することができる。
【００１６】
本発明によれば、印刷データの入力を受けて印刷処理を実行する印刷装置であって、印刷装置の状態を判別する制御部と、判別された状態に応じた情報を、印刷装置から離間し離れた場所から視認可能な被投射面へ投射光として投射する投射部とを備える、印刷装置が提供される。
【００１７】
前記投射部は、発光ダイオードを備え、前記情報に応じ光の点滅パターンを変更して投射することができる。ユーザは離れた位置から投射光の点滅を確認することにより、印刷装置の近くへ行くことなく、印刷待機中、印刷中、印刷完了、故障中、印刷ページの切り替え等、機器の様々な状態を知ることができ、ユーザの作業効率を向上させることができる。
【００１８】
前記投射部は、複数色を発光する複数の発光ダイオードを備え、前記情報に応じ色を組み合わせて投射することもできる。ユーザは離れた位置から投射光の色を確認することにより、印刷装置の近くへ行くことなく、印刷待機中、印刷中、印刷完了、故障中、印刷ページの切り替え等、様々な機器の状態を知ることができ、作業効率を向上させることができる。
【００１９】
前記投射部は、レーザ光照射手段と、レーザ光の照射位置を変更するための位置変更手段とを備え、前記情報に応じ前記レーザ光の照射位置を時間的に変化させて投射することもできる。ユーザは離れた位置から投射光の形状を確認し、印刷装置の近くへ行くことなく、印刷待機中、印刷中、印刷完了、故障中、故障内容等を知ることができ、作業効率を向上させることができる。
【００２０】
前記投射部は、前記情報に応じ、文字、図またはこれらを組み合わせて投影する情報投影手段を備える。印刷装置の現在の状態を文字や図形や画像を利用して投影することにより、離れた位置にいるユーザは、印刷装置の近くへ行くことなく、印刷待機中、印刷中、印刷完了、故障中、故障内容等の詳細を知ることができ、作業効率を向上させることができる。
【００２１】
さらに、前記印刷装置の状態を変化させる情報の入力を受け付ける情報入力部を備え、前記情報入力部が受け付けた入力情報に基づき、前記制御部が変化後の状態を判別することができる。これにより、初めて訪れる場所であっても、出力したい印刷装置の物理的位置を把握することが可能で、主に、モバイル環境での印刷装置利用時の利便性を高めることができる。また、指定しようとした印刷装置とは別の印刷装置へ出力してしまうといった人為的なミスを減少させることができ、セキュリティを向上させることができる。
【００２２】
前記被投射面は、壁面または天井とすることができ、高く見えやすいという点で天井が好ましい。また、前記投射部は、前記被投射面までの距離を焦点距離となるように調整することが好ましい。被投射面に投射されたものが、特に文字等で表される場合、ぼやけていては、文字等を把握することができないからである。
【００２３】
また、本発明によれば、印刷データの入力を受けて印刷処理を実行する印刷装置において、当該印刷装置の状態を視覚的に判別させるための方法も提供できる。この方法は、印刷装置により実現され、制御部により、印刷装置の状態を判別するステップと、投射部により、判別された状態に応じた情報を、印刷装置から離間し離れた場所から視認可能な被投射面へ投射光として投射するステップとを含む。
【発明を実施するための最良の形態】
【００２４】
図１は、本発明の印刷装置の第１実施形態を示した構成図である。この印刷装置は、機器の状態を表す情報を投射光として投射する投射部１０と、実際に印刷処理を実行する印刷部１１と、投射部１０および印刷部１１の制御を行う制御部１２とを含んで構成されている。
【００２５】
投射部１０は、光を投射することができる装置であればいかなる装置であってもよく、例えば、フィラメントを用いる電球、蛍光灯、発光ダイオード、液晶ディスプレイの画面を光学的に拡大して投影するプロジェクタを挙げることができる。投射部１０として電球や発光ダイオードを使用する場合は、光の投射方向を最適化するために、レンズや鏡等を使用することができる。
【００２６】
印刷部１１は、印刷を実行するモジュールで、紙媒体に印字等を行う。印字等の書き込みは、レーザ感光方式、インクジェット方式、ドットインパクト方式等により行うことができる。印刷部１１は、例えば、レーザ感光方式であれば、レーザ光を照射する露光装置と、レーザ光により表面に潜像が形成される感光体ドラムと、感光体ドラムを帯電させる帯電ユニットと、トナーを付着させて現像を行う現像ユニットと、紙媒体に転写する転写ユニットと、紙媒体にトナーを定着させる定着ユニットとを備える。
【００２７】
制御部１２は、印刷部１１の制御を行うとともに、印刷装置の状態を判別し、投射部１０が投射を行うための制御を行うモジュールである。制御部１２としては、CPUにソフトウェアを実行させることにより、その制御を実現するものや、その制御を実行させるLSIで構成したものや、プログラミングできるLSI（FPGA）で構成したもの等を挙げることができる。
【００２８】
印刷ジョブは、ユーザが印刷装置に備えた印刷開始ボタンを押下することにより、あるいはPCが実装するアプリケーションに対し印刷指示を行うことにより開始される。すなわち、印刷部１１は、上記ボタンの押下あるいは印刷指示を受けて印刷ジョブを開始する。印刷部１１が印刷の実行を開始したことを受けて、制御部１２は、印刷ジョブが開始されたことを検知する。具体的には、印刷部１１により印刷ジョブを開始した旨のメッセージ等を制御部１２へ送信することにより検知することができる。そのほか、機械接点、例えば紙を搬送させる際のスイッチ等、オン・オフによる接点の電圧変化を検知する等の方法により、印刷ジョブの開始を検知することもできる。
【００２９】
制御部１２は、印刷ジョブの開始を検知すると、機器の現在の状態が「印刷中」と判別する。そして、制御部１２は、投射部１０に対し、現在の機器の状態である「印刷中」という情報を投射させるように制御を行う。例えば、印刷が今開始されたとすると、機器の状態は「印刷待ち」の状態から「印刷中」の状態へ遷移するため、制御部１２は、投射部１０に対し、「印刷中」という情報を投射光として投射するように指示を送る。
【００３０】
１つの例として、制御部１２は、判別した状態が「印刷待ち」のときにLEDが消灯状態で、「印刷中」になるとLEDを点灯状態にするように指示を送ることができる。この場合、投射部１０は、電球やLEDで構成し、フィラメントやLEDへ電流を供給し、あるいは電流の供給を停止するのみの処理でこれを実現することができる。これは、スイッチ、オペアンプ、ADコンバータ等の組み合わせにより実現することができ、スイッチ、オペアンプ、ADコンバータを内蔵するCPUを用いて実現することができる。
【００３１】
投射部１０は、制御部１２からの指示を受け、電流を供給して電球やLEDを点灯させ、壁や天井等に、印刷装置の現在の状態を表す情報を投射光として投射する。「印刷中」にLEDをONにして投射するため、被投射面１３である壁や天井等には光の点が表示されることとなる。図１では、投射光１４が拡大して示されているため、光の点の大きさも大きいものとなっている。
【００３２】
従来において「印刷中」を示すために、インジケータとしてLEDを点灯させる技術が広く使用されているが、これらの技術では実際に印刷装置の近くへ行き、確認する必要があった。しかしながら、このように壁や天井等の視認可能な被投射面１３に光の点等で表示することにより、印刷を開始したユーザが、離れた場所からその投射光を視認することで、印刷装置の近くまで行くことなく、自席において印刷中であることを把握することができる。
【００３３】
なお、投射光は、光の点に限られるものではなく、光の色、光の点の大きさ、明るさ等を変化させることにより、複数の情報を表示することができる。例えば、LEDが赤色であれば赤い光の点を、青色であれば青い光の点を表示することができる。また、LEDと被投射面１３との間にレンズを配置し、レンズの種類や設置方法により光の点の大きさや明るさ等を変化させることができる。
【００３４】
印刷部１１が印刷を終了すると、印刷部１１が制御部１２へ印刷終了を示すメッセージを送る等し、制御部１２は印刷が終了したことを検知する。印刷終了は、印刷開始と同様、機械接点のオン・オフによるものであってもよい。
【００３５】
制御部１２は、印刷が終了したことを投射部１０に反映させるために、投射部１０に対する制御を行う。例えば、印刷が終了した状態は、「印刷中」の状態から「印刷待ち」の状態へと、現在の状態が遷移したものであるため、例えば、制御部１２は、投射部１０に対し、点灯しているLEDを消灯するための指示を送る。この指示は、メッセージ等として送ることもできるし、LEDの電流をオフにすることにより実現することができる。
【００３６】
投射部１０は、その指示を受け取り、LEDを消灯する。印刷ジョブを実行したユーザは、投射されていた光が消灯したことを見て、印刷が終了したことを把握することができる。
【００３７】
このように、ユーザが自席から座ったまま見える、壁や天井等の印刷装置から離間した被投射面１３に、印刷装置の現在の状態を表す情報を、投射という形で表現することにより、印刷装置の近くまで行くことなく、自席において「印刷待機中」、「印刷中」、「印刷完了」といった各状態を確認することができ、その結果、作業効率を向上させることができる。
【００３８】
図２は、印刷装置の第２実施形態を示した構成図である。この第２実施形態では、印刷装置は、投射部１０、印刷部１１、制御部１２を備えるが、制御部１２がタイマー２０を備えている。
【００３９】
制御部１２として用いることができるCPUは、タイマー機能を備えるが、そのCPUとは別にタイマーモジュールとして接続されていてもよい。ここでは、制御部１２がタイマー２０を備える構成としているが、投射部１０がタイマー２０を備える構成とすることもできる。また、CPUが備えるタイマー機能がソフトウェアで実現されていてもよい。
【００４０】
このタイマー２０は、点灯する電球やLEDを点滅させるために使用される。まず、制御部１２は、印刷が開始されると、投射部１０に対し、情報に応じた投射光の投射を指示する。投射は、LEDをONすることにより行うことができる。この実施形態では、タイマー２０がLEDのONされている時間を計測する。例えば、印刷開始を検知したときに、タイマーを１秒にセットし、スタートさせる。すると、タイマー２０は、１秒経過すると、１秒経過を表す信号を入力する。この入力は、CPU内蔵タイマーの場合はソフトウェアの割り込みとして検知される。外部モジュールで構成した場合は、電圧の変化として検知されるが、いずれにしても最終的には制御信号として認識される。
【００４１】
１秒経過を検知した制御部１２は、次に、投射部１０に対し、投射中止を指示するとともに、タイマーを１秒セットして点灯を開始するように指示する。投射部１０では、投射中止の指示を受け、投射を中止する。タイマー２０により再度１秒経過が検知されると、制御部１２は、投射部１０に対し、投射開始の指示を送る。このようにしてそれ以降、１秒経過毎に同様の処理が繰り返され、印刷完了が検知されるまで継続して投射部１０への指示が行われる。
【００４２】
このようにすると、ユーザは、印刷中、投射光が１秒毎に点滅して見える。この実施形態では、印刷中に投射光を１秒毎に点滅させたが、１秒間隔に限られるものではなく、例えば２秒あるいは３秒間隔毎に点滅させてもよい。また、印刷中に限らず、複数ページの印刷の際、ページの切り替え時に点滅させるようにすることもできる。
【００４３】
「印刷中」を点滅に割り当てるだけではなく、常時点灯から速い点滅までを符号化し、異なる機器の状態に割り当てることも可能である。例えば、「印刷中」は、常時点灯とし、「故障中」は、１秒間隔の点滅とし、「印刷ページ切り替え」は、５秒間隔の点滅とすることができる。「故障中」をさらに細分化し、「トナー切れ」や「紙切れ」等の原因により点滅方法を変更することもできる。また、点灯状態と消灯状態の時間を組み合わせることにより、さらに様々な機器の状態を表現することができる。
【００４４】
このようにして、ユーザは、離れた位置から投射光の点滅を視認することにより、印刷装置の近くまで行かなくても、離れた場所で、「印刷待機中」、「印刷中」、「故障中」、「印刷ページ切り替え」等の様々な状態を知ることができ、作業効率を向上させることができる。
【００４５】
なお、点滅の間隔が異なる複数の投射光が投射されると、それがどの情報であるかわからなくなる場合がある。このため、その間隔がどの情報であるかを対応付けた一覧表を印字して貼付しておくか、表示装置の表示画面上にその一覧表を表示させることもできる。例えば、印刷装置に対して印刷データを送信したクライアント装置の表示画面上には、図３に示すような一覧表を表示させることができる。
【００４６】
また、印刷装置が通信手段を備え、クライアント装置と印刷装置との間で通信可能とされていれば、クライアント装置から印刷装置の制御部１２に対し、機器の状態を判別した結果を適宜要求し、制御部１２が判別した結果をクライアント装置へ送り、表示画面上に表示させることができる。
【００４７】
図４は、印刷装置の第３実施形態を示した構成図である。この第３実施形態でも、投射部１０、印刷部１１、制御部１２を備えるが、投射部１０が異なる発光色の発光ダイオード３０〜３２を備えている。発光ダイオードは、赤色発光ダイオード３０と、緑色発光ダイオード３１と、青色発光ダイオード３２とから構成されている。
【００４８】
制御部１２は、印刷部１１が印刷の実行を開始し、それを検知すると「印刷中」と判別し、投射部１０に対し、投射開始を指示する。制御部１２は、例えば、緑色発光ダイオード３１へ投射を開始するように指示する。ユーザは、投射された緑色光を見ることで、印刷が正常に行われていることを、印刷装置から離れた場所で確認することができる。
【００４９】
ここで、印刷部１１に異常が発生したとする。異常は、紙詰まりであったり、紙切れであったり、トナー切れであったり、故障であったりする。この異常は、制御部１２により検知され、制御部１２は「故障」等と判別する。そこで、制御部１２は、投射部１０へ緑色発光ダイオード３１による投射を中止させるように指示し、赤色発光ダイオード３０による投射を開始させるように指示する。すると、被投射面１３に投射される光が、緑色光から赤色光へと変更され、ユーザは、印刷装置に異常が発生したとしても、印刷装置から離れた場所から異常が発生したことを知ることができ、また、その異常の内容も知ることができ、異常の内容に従って素早く対処することができる。
【００５０】
紙詰まりが起こった場合に、赤色光ではなく、青色光を投射するようにすれば、ユーザは、その青色光を見て、紙詰まりが発生したことを知ることができ、印刷装置の近くへ行って確認を行うことなく、補充紙を取りに行くことができる。
【００５１】
この第３実施形態では、３原色のダイオードを例示したが、他の色や組み合わせを使用してもよい。さらに、この３原色を被投射面１３で重ね合わせるように調整した場合は、制御部１２により各発光ダイオード３０〜３２の輝度を制御することにより、無投射状態から白色まで色を変化させることができ、色によって数多くの機器の状態を表現することができる。
【００５２】
このようにして機器の状態を各色の光として投射することにより、ユーザは、印刷装置から離れた場所で、様々な状態、例えば、印刷待機中、印刷中、印刷完了、故障中、故障内容等を知ることができ、作業効率を向上させることができる。これも、一覧表でどの内容かを判別することができ、ユーザが使用するクライアント装置と印刷装置とが通信可能である場合には、クライアント装置にその状態を表示させることもできる。
【００５３】
図５は、印刷装置の第４実施形態を示した構成図である。この第４実施形態では、投射部１０が、レーザ光発生装置４０と、投射位置を変更するためのモータ４１とを備える構成とされている。
【００５４】
レーザ光は、指向性や収束性が極めて高いという性質がある。レーザ光の投射位置を短時間で変化させると、その瞬間では１点のみを表示するが、残像により、ユーザには連続した線等に見える。これを利用して、レーザ光発生装置４０とモータ４１とにより、被投射面１３に幾何学的形状や文字等を描くことができる。
【００５５】
この場合の処理は、制御部１２が、印刷部１１が印刷の実行を開始したことを検知し、「印刷中」と判別し、投射部１０に対し、投射開始を指示する。その指示を受けた投射部１０は、レーザ光を通電し、レーザ光を被投射面１３に投射する。
【００５６】
描く形状等は、通常の印刷を実行している間は、制御部１２によりモータ４１を制御し、例えば、レーザ光が円を描くように位置を変化させることができる。異常が発生したときは、例えば、レーザ光が三角形を描くように位置を変化させることができる。なお、異常は、上記したような紙詰まり、紙切れ、トナー切れ、故障等である。
【００５７】
ユーザは、被投射面１３に投射されたレーザ光が描く円形から三角形への変化により、印刷装置に異常が発生したことを知ることができ、異常の内容に従って素早く対処することができる。
【００５８】
この第４実施形態では、円形と三角形のみを例示したが、レーザ光が描く形状はいかなる形状であってもよく、予め機器の状態に対応して形状を決めておくことで、ユーザに様々な状態を通知することができる。
【００５９】
このようにレーザ光で様々な形状を被投射面１３に描くことで、ユーザは、印刷装置の近くへ行き、確認しなくても、印刷装置から離れた場所で機器の状態を知ることができ、作業効率を向上させることができる。これもまた、一覧表でどの内容かを判別することができ、ユーザが使用するクライアント装置と印刷装置とが通信可能である場合には、クライアント装置にその状態を表示させることもできる。
【００６０】
図６は、印刷装置の第５実施形態を示した構成図である。この第５実施形態も、投射部１０、印刷部１１、制御部１２を備え、投射部１０が液晶プロジェクタと呼ばれる情報投影手段５０を備えるものとされている。
【００６１】
液晶プロジェクタは、制御部１２により画像表示用メモリに格納されたビット列に従い、内蔵する液晶表示手段に、文字や図形を表示することができる。この表示した内容は、被投射面１３に投影され、ユーザは、その被投射面１３に投影された内容を見ることで、機器の状態を確認することができる。
【００６２】
この液晶プロジェクタで投影される情報は、文字や図形で表示されるため、これまでに説明してきた電球、LED、発光ダイオード、レーザ光に比較して、さらに細分化された数多くの状態やその詳細を提供することができ、ユーザにとっても容易に印刷装置の位置および現在の状況を把握することができる。また、初めて訪問した場所で印刷を行うユーザにとっても、印刷を実行している印刷装置の位置およびその状況を容易に把握することができる。
【００６３】
このことから、印刷装置の現在の状態を文字や図形を利用して投影することで、離れた場所にいるユーザは、印刷装置の近くへ行って確認しなくても、その離れた場所において印刷装置の現在の状態を把握することができ、ユーザの作業効率を向上させることができる。
【００６４】
図７は、印刷装置の第６実施形態を示した構成図である。この第６実施形態では、これまでと同様、投射部１０、印刷部１１、制御部１２に加え、新たに情報入力部６０を備えている。投射部１０、印刷部１１、制御部１２に関しては、上述したので、ここでは情報入力部６０について説明する。
【００６５】
情報入力部６０は、ネットワークと接続し、情報をネットワークから受信する。ここで、ネットワークには種々のものが挙げられるが、例えば、イーサネット（登録商標）、無線LAN、Bluetooth、携帯電話網を挙げることができる。
【００６６】
この印刷装置が行う処理について説明する。ここでは、ユーザが文書を印刷しようとしている状況とする。文書の閲覧状態にして印刷指示を出すと、印刷装置の指定画面が表示される。ここで普段よく利用している印刷装置への印刷であれば、特段の指定を行うことなく、その印刷装置が自動的に指定され、印刷を開始できるが、初めて訪れる事業所等の場合、どの印刷装置が利用可能であるかわからない。
【００６７】
そこで、出力する印刷装置の検索を行う必要がある。検索は、これまで知られたいかなる方法でも採用することができるが、例えば、UPnPやBonjour等を挙げることができる。UPnPは、機器を、ネットワークを通じて接続し、相互に機能を提供し合うための技術仕様であり、Bonjourは、イーサネット（登録商標）や無線LAN等のIPネットワーク上にある機器を自動的に検出して接続する技術である。
【００６８】
ユーザがUPnPやBonjour対応のノートPC等をネットワークに接続すると、自動的に利用可能な印刷装置が検索され、画面には、図８で示される、そのネットワークで利用できる印刷装置が列挙される。図８では、ネットワーク名がabcのネットワークに接続された印刷装置として、PrinterA、B、Cという３つの印刷装置が利用可能な装置として検索されている。ユーザが３つの印刷装置の中からPrinterBと名前が付けられた印刷装置を選択すると、PrinterBが出力先として選択されたことを示すために、PrinterBの行の表示が反転する。
【００６９】
PrinterBが選択されると、ノートPCからネットワークを介してPrinterBの印刷装置へ検索中であることを示す情報が送信される。次に、PrinterBの印刷装置は、情報入力部６０により「検索中」という情報を受信し、機器の状態を「印刷待機中」から「検索中」へと遷移させる。この状態の遷移は、制御部１２により検知され、制御部１２は「検索中」と判別し、投射部１０へ指示を送る。投射部１０の構成と指示は、これまでに説明したいずれの方法であってもよいが、ここではLEDを点灯する指示を送る。この結果、投射部１０が被投射面１３に光の点を投射する。
【００７０】
ユーザは、投射された光の点を探すことで、印刷装置が実際に事業所内のどこに存在しているか、あるいは存在していないかを確認することができる。同様に、PrinterBやPrinterCを選択した場合も、それぞれの印刷装置から光が投射され、印刷装置が配置されている物理的な位置を把握することができる。
【００７１】
印刷装置をネットワーク上で検索することは、これまでに知られた技術で可能であるが、実際の物理的位置を把握することは、これまでに知られた技術では不可能であった。しかしながら、このように印刷を実行している印刷装置から被投射面１３へ投射光を投射することで、初めて訪れる場所で印刷を行ったとしても、ネットワーク上で検索された印刷装置の物理的位置を把握することが可能となる。このことは、主にモバイル環境での印刷利用時の利便性を高めることを可能にする。そして、指定しようとした印刷装置とは別の印刷装置へ出力してしまうという人為的なミスを減少させることができ、セキュリティを向上させることが可能である。
【００７２】
投射部１０が光を投射する被投射面１３は、壁、天井、パーティション等を挙げることができるが、特に天井が好ましい。これは、ユーザが自席から視認するにあたって投射された光が高い位置であることが好ましく、壁やパーティション等に投射するよりも高い位置に投射することができるからである。また、天井は、壁に比べて、投射された光を視認するのに障害となる棚が配置されることはなく、色の識別等がしにくくなるポスターや絵が貼付されることはほとんどなく、また、凹凸も少ないことから、視認性に優れる。
【００７３】
したがって、図９に示すように、印刷装置７０の投射方向を、印刷装置７０の設置面７１に対し、垂直方向にすることが好ましい。垂直方向に投射された光は、印刷装置７０の真上の天井７２に投射され、天井７２に光の点等が表示されることになる。これは特に、１つのフロアーが広く、そのフロアーに複数の印刷装置が設置されている場合に有用である。すなわち、天井７２に投射された光の真下にある印刷装置７０が、ユーザが選択した印刷装置であることが一目で分かり、かつ光の色や大きさ等によりその装置の状態を把握することができるからである。
【００７４】
居室の天井高さは、建築基準法で２．１ｍ以上と規定されている。そのため、オフィスの天井高さは、２．１〜３ｍであることが多い。天井に投射するにしても、焦点が合っていなければ、ぼやけて投射され、場合によってはオフィスの蛍光灯の天井に反射された光と区別することができないことがある。
【００７５】
そこで、投射部１０は、天井までの距離を２．５ｍとして、焦点距離を算出し、調整する。これにより、焦点ぼけをなくすことができ、蛍光灯の光と区別することができる。また、投射部１０において焦点距離を予め設定しておくことで、印刷装置の設置の際に調整の必要性をなくし、また、調整するにしても、調整範囲を最小限に抑えることができる。
【００７６】
これまで本発明を実施の形態をもって説明してきたが、本発明は上述した実施の形態に限定されるものではなく、他の実施の形態、追加、変更、削除など、当業者が想到することができる範囲内で変更することができ、いずれの態様においても本発明の作用・効果を奏する限り、本発明の範囲に含まれるものである。したがって、本発明は、印刷装置に加え、ユーザに対し、印刷装置の状態を視覚的に判別させるための方法も提供することができる。この場合、この方法は、印刷装置が備える各部が行う処理ステップを含むものである。
【図面の簡単な説明】
【００７７】
【図１】印刷装置の第１実施形態を示した構成図。
【図２】印刷装置の第２実施形態を示した構成図。
【図３】表示画面上に表示される一覧表を例示した図。
【図４】印刷装置の第３実施形態を示した構成図。
【図５】印刷装置の第４実施形態を示した構成図。
【図６】印刷装置の第５実施形態を示した構成図。
【図７】印刷装置の第６実施形態を示した構成図。
【図８】ネットワークで利用できる印刷装置を列挙した画面を例示した図。
【図９】印刷装置の投射部が投射する方向の一例を示した図。
【符号の説明】
【００７８】
１０…投射部、１１…印刷部、１２…制御部、１３…被投射面、１４…投射光、２０…タイマー、３０…赤色発光ダイオード、３１…緑色発光ダイオード、３２…青色発光ダイオード、４０…レーザ光発生装置、４１…モータ、５０…情報投影手段、６０…情報入力部、７０…印刷装置、７１…設置面、７２…天井
【図１】
2010069660.tif 000003
【図２】
2010069660.tif 000004
【図３】
2010069660.tif 000005
【図４】
2010069660.tif 000006
【図５】
2010069660.tif 000007
【図６】
2010069660.tif 000008
【図７】
2010069660.tif 000009
【図８】
2010069660.tif 000010
【図９】
2010069660.tif 000011